(57)【要約】【課題】  複数の辞書に格納されたデータを用いることで文字の変換効率を向上させる携帯端末装置を提供する。【解決手段】  ＣＰＵ１２は、ユーザによって入力されたかなの読みに対応する変換候補をかな・漢字変換用データ１５から選択し、一時的に作業用メモリ１７に格納する。ＣＰＵ１２は、作業用メモリ１７に格納されたかな・漢字変換用データ１５から選択された変換候補の数が所定の数以下であるか否かを確認し、候補の数が所定の数以下である場合は、入力されたかなに対応する見出しを国語辞典データ１６から選択し、作業用メモリ１７に格納する。作業用メモリ１７に格納された変換候補は、表示制御部２１によって表示部２２に表示される。ユーザは、所望の変換候補を選択することができる。【選択図】  図１
2005250618.tif 000002
【特許請求の範囲】
【請求項１】
複数の辞書データと、情報を入力するためのインターフェースと、前記インターフェースによって入力された前記情報を表示する表示部とを有する携帯端末装置において、
ユーザが前記インターフェースによって所望の語句を入力する手段と、
前記インターフェースによって入力された前記語句を前記表示部に表示する手段と、
前記インターフェースを介して前記語句の変換が要求されたとき、前記複数の辞書データのいずれか１つから前記インターフェースによって変換が要求された前記語句の変換候補を抽出する第１の抽出手段と、
前記第１の抽出手段によって抽出された前記変換候補の数の加算値が前記所定の数以下であるとき、前記第１の抽出手段によって利用された辞書データ以外の辞書データから前記語句の変換候補を選択する第２の抽出手段とを有し、
前記第１の抽出手段によって抽出された前記変換候補の数の加算値が所定の数を超えたとき、前記第１の抽出手段によって抽出された前記変換候補を表示部に表示し、
前記第１の抽出手段によって抽出された前記変換候補の数と前記第２の抽出手段によって抽出された前記変換候補の数の加算値が前記所定の数を超えたとき、前記第１の抽出手段及び前記第２の抽出手段によって抽出された前記変換候補を前記表示部に表示することを特徴とする携帯端末装置。
【請求項２】
前記複数の辞書データごとに前記変換候補を抽出する条件を設定することを特徴とする請求項１記載の携帯端末装置。
【請求項３】
前記複数の辞書データのいずれを用いて前記変換候補を抽出するかを設定することを特徴とする請求項１又は２記載の携帯端末装置。
【請求項４】
前記第１の抽出手段によって抽出された前記変換候補の数と前記第２の抽出手段によって抽出された前記変換候補の数の加算値が前記所定の数以下であったとき、情報通信回線を介して前記変換候補の情報をサーバに対して要求することを有することを特徴とする請求項１から３のいずれか１項記載の携帯端末装置。
【請求項５】
前記複数種の辞書データは、フラッシュ・メモリに記憶されていることを特徴とする請求項１から４のいずれか１項記載の携帯端末装置。
【請求項６】
前記表示部に有機ＥＬ素子を用いたことを特徴とする請求項１から５のいずれか１項記載の携帯端末装置。
【発明の詳細な説明】
【技術分野】
【０００１】
本発明は、携帯端末装置に関し、特に、文字入力の際の漢字変換機能や用語検索機能を備える携帯電話機、ＰＨＳ、ＰＤＡ等に適用して好適な携帯端末装置に関する。
【背景技術】
【０００２】
近年、携帯電話機、ＰＨＳ（Personal Handyphone System）、ＰＤＡ（Personal Data Assistance, Personal Digital Assistants：個人向け携帯型情報通信機器）等の携帯端末装置が広く普及している。
【０００３】
このような携帯型情報端末においては、例えば電子メールを作成するといった日本語テキストの入力操作が頻繁に行なわれる。一般に、携帯型情報端末で日本語の語句を入力するに際しては、まずひらがなで語句を入力し、内蔵された辞書データを参照して漢字に変換するといった、いわゆる漢字変換処理が行われる。
【０００４】
また、携帯型情報端末においては、例えば国語辞書や英和・和英辞書にような各種の辞書データを内蔵し、入力した語句の意味や対訳などを検索するといった、いわゆる用語検索機能を搭載したものも広く普及している。
【０００５】
特許文献１は、携帯型情報端末で漢字変換又は用語検索を実行するに際して、ホスト装置に記憶された辞書データを参照することにより、携帯型情報端末が備える辞書データを不要または最小限にすることができ、携帯型情報端末が内蔵する記憶素子や記憶媒体の容量を低減して機器の小型化・低コスト化を図った辞書検索方法を提案している。
【特許文献１】特開２００２−３１２３５５号公報
【発明の開示】
【発明が解決しようとする課題】
【０００６】
しかしながら、上記の発明は、以下に述べる問題点を有する。
【０００７】
これらの携帯端末装置の多くは、漢字変換機能や用語検索機能を備えている。しかし、携帯端末装置は、筐体の大きさに限りがあるため、多くの漢字辞典などのデータを保持する読み出し専用メモリ（ＲＯＭ）を搭載することが困難である。携帯電話機が表示する漢字の変換候補は、搭載している辞書データに依存するため、意図する漢字が表示されない場合がある。したがって、携帯端末装置に搭載される漢字変換用データだけでは、一般的なパーソナルコンピュータ（ＰＣ）と比較し、十分な変換候補を表示することができない。一字ずつ変換することで意図する連語を最終的に表示することができるが、変換効率が著しく低下する。
【０００８】
特許文献１は、携帯型情報端末で漢字変換又は用語検索を実行する際、ホスト装置に記憶された辞書データにアクセスすることで、携帯型情報端末が備える記憶容量の縮小及び携帯型情報端末の小型化を図っているが、ユーザは文字を変換する毎にホスト装置にアクセスしなければならず、辞書を搭載している端末と比較して変換効率が悪い。また、ユーザが文字入力の毎にホスト装置にアクセスすると、携帯型情報端末とホスト装置をつなぐネットワークへの負担が増大し、通信速度が低下するため、結果的に変換効率が低下する。
【０００９】
本発明は、入力した文字を意図する漢字などへ変換する際に、１つの辞書だけでなく、所定の条件下においては、複数の辞書を参照することにより、変換効率を向上させた携帯端末装置を提案することを目的としている。
【課題を解決するための手段】
【００１０】
請求項１記載の発明は、複数の辞書データと、情報を入力するためのインターフェースと、前記インターフェースによって入力された前記情報を表示する表示部とを有する携帯端末装置において、ユーザが前記インターフェースによって所望の語句を入力する手段と、前記インターフェースによって入力された前記語句を前記表示部に表示する手段と、前記インターフェースを介して前記語句の変換が要求されたとき、前記複数の辞書データのいずれか１つから前記インターフェースによって変換が要求された前記語句の変換候補を抽出する第１の抽出手段と、前記第１の抽出手段によって抽出された前記変換候補の数の加算値が前記所定の数以下であるとき、前記第１の抽出手段によって利用された辞書データ以外の辞書データから前記語句の変換候補を選択する第２の抽出手段とを有し、前記第１の抽出手段によって抽出された前記変換候補の数の加算値が所定の数を超えたとき、前記第１の抽出手段によって抽出された前記変換候補を表示部に表示し、前記第１の抽出手段によって抽出された前記変換候補の数と前記第２の抽出手段によって抽出された前記変換候補の数の加算値が前記所定の数を超えたとき、前記第１の抽出手段及び前記第２の抽出手段によって抽出された前記変換候補を前記表示部に表示することを特徴とする。
【００１１】
請求項２記載の発明は、請求項１記載の携帯端末装置において、前記複数の辞書データごとに前記変換候補を抽出する条件を設定することを特徴とする。
【００１２】
請求項３記載の発明は、請求項１又は２記載の携帯端末装置において、前記複数の辞書データのいずれを用いて前記変換候補を抽出するかを設定することを特徴とする。
【００１３】
請求項４記載の発明は、請求項１から３のいずれか１項記載の携帯端末装置において、前記第１の抽出手段によって抽出された前記変換候補の数と前記第２の抽出手段によって抽出された前記変換候補の数の加算値が前記所定の数以下であったとき、情報通信回線を介して前記変換候補の情報をサーバに対して要求することを有することを特徴とする。
【００１４】
請求項５記載の発明は、請求項１から４のいずれか１項記載の携帯端末装置において、前記複数種の辞書データは、フラッシュ・メモリに記憶されていることを特徴とする。
【００１５】
請求項６記載の発明は、請求項１から５のいずれか１項記載の携帯端末装置において、前記表示部に有機ＥＬ素子を用いたことを特徴とする。
【発明の効果】
【００１６】
本発明は、一つの辞書に含まれない文字を意図する漢字などへ変換する場合に、他の辞書が有するデータも参照可能とすることで、より多くの変換候補を表示することができる。さらに、一字ずつの変換を行なう必要がなくなり、表示された変換候補の一覧から選択するだけで漢字などへの変換ができるため変換効率を向上させることができる。
【００１７】
また、本発明は、携帯端末装置が最初から搭載するＲＯＭに含まれる複数の辞書のデータを利用して、変換候補の拡大を図るため、新たにＲＯＭを付加する必要がなく、携帯端末装置の小型を図ることができる。
【発明を実施するための最良の形態】
【００１８】
本発明は、一つの辞書に含まれない文字を意図する漢字などへ変換する場合に、他の辞書が有するデータも参照可能とする。また、携帯端末装置に予め備えられたＲＯＭが有する辞書を利用して変換候補の拡大を図る。さらに、複数の辞書が有するデータを用いることによる変換候補の拡大は、ユーザが要求した場合にのみ行い、変換効率の低下を防止する。
【実施例】
【００１９】
図１に本発明を適用した携帯端末装置の構成を示す。本発明を適用した携帯端末装置１１は、ＣＰＵ１２、バス１３、ＲＯＭ１４、かな・漢字変換用辞書データ１５、国語辞典データ１６、作業用メモリ（ＲＡＭ）１７、入力部１８、文字入力キー１９、変換キー２０、表示制御部２１、表示部２２、及び無線でＥ−ｍａｉｌ等のデータの送受信を行なう送受信部２３を有する。
【００２０】
入力部１８は、文字入力キー１９と変換キー２０とを含む各種キーからキー入力を検知する。ユーザは、文字入力キー１９を利用して意図する文字を入力し、変換キー１７で入力した文字（語句）の変換候補を参照することができる。
【００２１】
ＲＯＭ１４には、かな・漢字変換用辞書データ１５及び国語辞典データ１６が格納されている。さらに、ＲＯＭ１４は、ＣＰＵ１２がＲＯＭ１４、作業用メモリ１７、入力部１８、表示制御部２１、送受信部２３等を制御するための制御プログラムや、かなから漢字へん変換する際に使用されるかな・漢字変換用辞書データ１５や国語辞典データ１６等のデータを格納するリード・オンリ・メモリである。
【００２２】
ＣＰＵ（中央演算処理装置）１２は、ＲＯＭ１４に入力された文字（語句）に対応する適当なデータが存在するか否かを判断する。ＣＰＵ１２は、バス１３を介して携帯端末装置１１が有するＲＯＭ１４、作業用メモリ１７、入力部１８、表示制御部２１、送受信部２３等と接続されている。表示制御部２１は、入力された文字（語句）及びＣＰＵ１２によって選択された変換候補を表示部２２に表示する。
【００２３】
作業用メモリ１７は、文字入力キー１９と通じて入力された文字（語句）や変換候補のデータを一時的に格納する。作業用メモリ１７は、ＲＡＭ（ランダム・アクセス・メモリ）によって構成されており、ＣＰＵ１２が制御プログラムを実行する上で一時的に必要とされるデータを格納する。本実施例においては、主に、かな・漢字変換用辞書データ１５及び国語辞典データ１６のうち、文字入力キー１９から入力された文字（語句）に対応する変換候補が一時的に格納される。
【００２４】
図２は、かな・漢字変換用辞書データ１５に格納されているデータの一例である。かな・漢字変換用辞書データ１５には、「はいち」の読みに対応する変換候補として、「配置」、「ハイチ」、「ハイチ（半角）」、及び「はいち」が格納されている。
【００２５】
図３は、国語辞典データ１６に格納されているデータの一例である。国語辞典データ１６には、見出し「はいち」に対応する変換候補として、「配置」、「廃地」、「廃置」、「排置」、及び「背馳」が格納されている。なお、国語辞典データ１６には、見出しごとの意味のデータも格納されているが、本実施例においては意味のデータは使用しない。
【００２６】
図４は、文字入力キー１９によって入力されたかなが「はいち」だった場合に、ＣＰＵ１２がかな・漢字変換用辞書データ１５及び国語辞典データ１６から「はいち」に対応する変換候補を選択し、最終的に作業用メモリ１７に一時的に格納する変換候補の一例である。図４においては、読み「はいち」に対応する変換候補として、かな・漢字変換用辞書データからの「配置」、「ハイチ」、「ハイチ（半角）」、及び「はいち」に加え、国語辞典データ１６から見出し「はいち」に対応する変換候補として「配置」、「配置」、「廃地」、「廃置」、「排置」、及び「背馳」が格納されている。
【００２７】
次に、携帯電話機１１が実行するかな・漢字変換用辞書データ１５及び国語辞典データ１６を用いた変換候補の選択から表示に至るまでの処理を図５を用いて説明する。
【００２８】
携帯電話機１１のユーザが文字入力キー１９からかなを入力すると（ステップＳ５０１）、表示制御部２１により表示部２２の所定の位置にそのかなが表示される（ステップＳ５０２）。ユーザが表示部２２に表示されたかなを確認し、変換キー２０が押すと（かなに対応する変換候補の表示の要求）、入力部１８がこれを検知する（ステップＳ５０３）。入力部１８が変換候補の表示の要求を検知すると、ＣＰＵ１２は、文字入力キー１９により入力されたかなの読みに対応する変換候補をかな・漢字変換用データ１５から選択し、作業用メモリ１７に格納する（ステップＳ５０４）。
【００２９】
次に、ＣＰＵ１２は、かな・漢字変換用データ１５から選択し、作業用メモリ１７に格納した変換候補に数が所定の数以下であるか否かを判断する（ステップＳ５０５）。作業用メモリ１７に格納された変換候補の数が所定の数以下であった場合は（ステップＳ５０５／ＹＥＳ）、文字入力キー１９によって入力されたかな（見出し）に対応する漢字を国語辞典データ１６から選択し、作業用メモリ１７に格納する（ステップＳ５０６）。作業用メモリ１７に格納された国語辞典データ１６からのデータは変換候補に追加され、変換候補のデータが生成される（ステップＳ５０７）。作業用メモリ１７に格納された変換候補のデータは、表示制御部２１によって表示部２２に表示される（ステップＳ５０８）。ユーザは、表示部２２に表示された変換候補の中から所望の候補を選択することで、所望の漢字等の入力を行なうことができる。
【００３０】
なお、本発明は、携帯電話機だけでなく、ＰＨＳ、ＰＤＡ等の他の携帯端末装置においても同様に実施することができる。また、本実施例においては、所定の条件の場合に国語辞典に格納されているデータを参照することとしたが、入力されたかなの検索条件（読み又は見出し等）に対応するデータを有する辞典などであれば、参照することができる。さらに、上記実施例においては、入力されたかなの検索条件として読み及び見出しを用いたが、ユーザは任意に検索条件を設定することも可能である。
【００３１】
また、本実施例においては、携帯電話機１１が搭載するＲＯＭ１４に格納されている国語辞典などのデータのみを参照して変換候補を挙げていたが、後付けのメモリ、汎用メモリ、フラッシュ・メモリ等に格納されている国語辞典などのデータを参照する構成とすることも可能である。ユーザは、入力した文字の変換候補の検索を要求する際、携帯端末装置に搭載されているいずれの辞書を用いて検索を行なうかを予め設定しておくこともできる。例えば、上記実施例のステップＳ５０４では、かな・漢字変換用データを用いて検索し、ステップＳ５０６では、国語辞典データを用いて検索することを予め設定できる。
【００３２】
また、携帯電話機に搭載されているデータのみでは、十分な変換候補が得られない場合は、ネットワークを通じて携帯電話機のサーバに接続し、入力された語句の変換候補の情報を要求することも可能である。例えば、上記実施例のステップＳ５０７を実行した時点での変換候補の数が所定の数以下であった場合に、携帯端末装置１１のホスト装置に入力されたかなに対応する変換候補の検索を要求することもできる。
【図面の簡単な説明】
【００３３】
【図１】本発明を適用した携帯端末装置の構成を示すブロック図である。
【図２】かな・漢字変換用辞書データに格納される変換候補の一例を示す図である。
【図３】国語辞典データに格納される変換候補の一例を示す図である。
【図４】かな・漢字変換用辞書データ及び国語辞典データに格納される変換候補の一例を示す図である。
【図５】変換候補のデータを作成する処理のフローチャートである。
【符号の説明】
【００３４】
１１    携帯端末装置
１２    ＣＰＵ
１３    バス
１４    ＲＯＭ
１５    かな・漢字変換用辞書データ
１６    国語辞典データ
１７    作業用メモリ
１８    入力部
１９    文字入力キー
２０    変換キー
２１    表示制御部
２２    表示部
２３    送受信部
【図１】
2005250618.tif 000003
【図２】
2005250618.tif 000004
【図３】
2005250618.tif 000005
【図４】
2005250618.tif 000006
【図５】
2005250618.tif 000007